(57)【要約】【課題】  粘着テープを綺麗に貼着することができるようにした上で、生産効率を向上させることができるようにする。【解決手段】  段ボール箱１０を形成するための展開紙２０は、複数本の縦折り線２１に沿って環状に折り曲げることで六角筒部１１を形成する長尺の帯状部３０と、この帯状部３０から外方に向かって延設された底板１２を形成する底板形成部４０と、同他方の側縁部から延設された蓋体１３を形成する蓋体形成部５０とを備え、底板形成部４０は、帯状部３０における隣設された縦折り線２１間および縦折り線２１と端縁との間からそれぞれ延設された複数の第１〜第６底板フラップ４１〜４６を有し、六角筒部１１の互いに対向した縁部から延設された第１および第４底板フラップ４１，４４の少なくとも一方は、先端縁部が対向した縁部間にある六角筒部１１の六角形状の互いに対向した頂点間を結ぶ直線と交差し得るべく形状設定されている。【選択図】      図２
2006096405.tif 000002
【特許請求の範囲】
【請求項１】
平面視で六角形状を呈した筒部と、該筒部の一方の開口を閉止する底板と、同他方の開口を閉止する蓋体とを備え、段ボール紙を切り抜いて得られる所定平面形状の展開紙を、予め設定された所定の折り線に沿って折り曲げることにより形成される段ボール箱であって、
前記展開紙は、互いに平行に設定された複数本の折り線に沿って環状に折り曲げることで前記筒部を形成する長尺の帯状部と、この帯状部の一方の側縁部から外方に向かって延設された前記底板を形成する底板形成部と、同他方の側縁部から外方に向かって延設された前記蓋体を形成する蓋体形成部とを備え、
前記底板形成部は、前記帯状部における隣設された折り線間および折り線と端縁との間からそれぞれ延設された複数の底板用フラップを有し、
前記底板形成部における互いに対向した側縁部から延設された底板用フラップの少なくとも一方は、その先端縁部が前記対向した側縁部間にある前記筒部の六角形状の互いに対向した頂点間を結ぶ直線と交差する傾斜辺とされていることを特徴とする段ボール箱。
【請求項２】
前記帯状部は、一方の端縁に形成された糊代部を有し、この糊代部の基端位置に第１折り線が設定されるとともに、この第１折り線から他方の端縁に向けて第２〜第６折り線が設定され、
前記各折り線間および第６折り線と帯状部の他方の端縁との間に第１〜第６区分帯部がそれぞれ形成され、
前記底板用フラップとして第１〜第６区分帯部のそれぞれから延設された第１〜第６底フラップが形成され、
前記筒部の互いに対向した側縁部から延設された底板用フラップは、第１および第４底フラップであり、
前記第１および第４底フラップの先端縁部には、底板の閉止状態を維持し得る嵌め合わせ構造が設けられていることを特徴とする請求項１記載の段ボール箱。
【請求項３】
蓋体形成部は、前記帯状部における隣設された折り線間および折り線と端縁との間からそれぞれ延設された複数の蓋体用フラップを有し、この蓋体用フラップは、前記底板用フラップと同一に形状設定されていることを特徴とする請求項１または２記載の段ボール箱。
【発明の詳細な説明】
【技術分野】
【０００１】
本発明は、段ボール紙を切り抜いて得られる所定平面形状の展開紙を予め設定された所定の折り線に沿って折り畳むことにより形成される段ボール箱に関するものである。
【背景技術】
【０００２】
従来、特許文献１に記載されているような紙容器（段ボール箱）が知られている。この紙容器は、平面視で六角形状を呈した六角筒体と、この六角筒体の一方の開口を閉止することによって形成された底板と、同他方の開口を閉止する天板とを備えて構成されている。天板の中央位置には円孔が穿設され、この円孔にキャップを備えた口金部材が装着されるようになっている。
【０００３】
かかる紙容器は、厚紙を所定の形状に切り抜いて得られる展開紙を、予め設定された折り線に沿って折り曲げた上で、互いに重なり合った部分を貼着することによって形成されている。展開紙は、六角筒体になる部分である周壁部と、この周壁部の一方の縁部から延設された糊代部と、前記周壁部における糊代部と直交する縁部の一方から延設された複数の底板用フラップと、同他方の縁部から延設された天板用フラップとを備えている。
【０００４】
そして、周壁部を六角形状に丸めた上で、糊代部を周壁部の他方の縁部に貼着することにより六角筒体が形成されるとともに、この六角筒体から延設された前記各底板用フラップおよび前記各天板用フラップをそれぞれ内側に向けて折り曲げ、これらの互いに重なり合った部分同士を互いに貼着することによって紙容器が形成されるようになっている。
【０００５】
かかる六角筒状の紙容器は、例えば、画像形成装置に適用されるトナーカートリッジやトナー回収タンクのような正規の姿勢以外で保管されたり運搬されたりすることを嫌う被収納物を包装する容器として好都合である。
【特許文献１】実開平５−５１７２３号公報
【発明の開示】
【発明が解決しようとする課題】
【０００６】
ところで、特許文献１に記載されているような六角筒状の段ボール箱にあっては、底板用の各フラップを互いに重なり合うように折り重ねた上で、最も外側のフラップと六角筒体との間にフラップの縁部に沿わせた状態で粘着テープを貼着し、底板を形成するのが一般的である。
【０００７】
しかしながら、このように底板と六角筒体との間に粘着テープを貼着するに際し、六角筒体の頂点位置を越えて食み出した当該粘着テープの両端部分は、底板または天板と六角筒体との双方に対して真っ直ぐに貼着することができず、粘着テープに弛み部分が生じてしまうため、見栄えが悪くなるばかりか、可能な限り綺麗に見せるための努力（例えば弛んだ部分を重ね合わせて互いに貼着した上でこの貼着された部分を折り曲げる等）に時間が取られ、生産効率が低下するという問題点が存在した、
本発明は、かかる状況に鑑みなされたものであって、粘着テープを綺麗に貼着することができるようにした上で、生産効率を向上させることができる段ボール場を提供することを目的としている。
【課題を解決するための手段】
【０００８】
請求項１記載の発明は、平面視で六角形状を呈した筒部と、該筒部の一方の開口を閉止する底板と、同他方の開口を閉止する蓋体とを備え、段ボール紙を切り抜いて得られる所定平面形状の展開紙を、予め設定された所定の折り線に沿って折り曲げることにより形成される段ボール箱であって、前記展開紙は、互いに平行に設定された複数本の折り線に沿って環状に折り曲げることで前記筒部を形成する長尺の帯状部と、この帯状部の一方の側縁部から外方に向かって延設された前記底板を形成する底板形成部と、同他方の側縁部から外方に向かって延設された前記蓋体を形成する蓋体形成部とを備え、前記底板形成部は、前記帯状部における隣設された折り線間および折り線と端縁との間からそれぞれ延設された複数の底板用フラップを有し、前記底板形成部における互いに対向した側縁部から延設された底板用フラップの少なくとも一方は、その先端縁部が前記対向した側縁部間にある前記筒部の六角形状の互いに対向した頂点間を結ぶ直線と交差する傾斜辺とされていることを特徴とするものである。
【０００９】
かかる構成によれば、展開紙における長尺の帯状部を、互いに平行に設定された複数本の折り線に沿って環状に折り曲げることによって段ボール箱の筒部が形成され、引き続きこの帯状部の一方の側縁部から外方に向かって延設された底板形成部を筒部の内側に向けて略直角に折り曲げることにより段ボール箱の底板が形成される。さらに、帯状部の他方の側縁部から外方に向かって延設された蓋体形成部を筒部の内側に向けて略直角に折り曲げることにより段ボール箱の蓋体が形成される。
【００１０】
そして、筒部の互いに対向した縁部から延設された底板用フラップの少なくとも一方は、先端縁部が対向した縁部間にある筒部の六角形状の互いに対向した頂点間を結ぶ直線と交差する傾斜辺とされているため、展開紙を折り曲げることで段ボール箱を形成した上で、底板用フラップの内の最も外側に位置するものの先端縁部に沿うように粘着テープを貼り付けていくとともに、底板から食み出した粘着テープの両端部を真っ直ぐに筒部の方向に向けて折り曲げることができる。
【００１１】
したがって、請求項１の段ボール箱にあっては、底板用フラップの最も外側のものは折り曲げられた状態で傾斜辺の延長線が筒部の六角形状の頂点部分に位置することはなく、これによって底板用フラップの傾斜辺に沿って貼着した粘着テープの食み出した両端部を筒部方向に折り曲げるに際し、六角形状の頂点部分を避けて真っ直ぐに折り曲げることができることから、仕上がった段ボール箱の外観視が見栄えよいものになるとともに、段ボール箱製造の作業性の向上にも貢献する。
【００１２】
請求項２記載の発明は、請求項１記載の発明において、前記帯状部は、一方の端縁に形成された糊代部を有し、この糊代部の基端位置に第１折り線が設定されるとともに、この第１折り線から他方の端縁に向けて第２〜第６折り線が設定され、前記各折り線間および第６折り線と帯状部の他方の端縁との間に第１〜第６区分帯部がそれぞれ形成され、前記底板用フラップとして第１〜第６区分帯部のそれぞれから延設された第１〜第６底フラップが形成され、前記筒部の互いに対向した側縁部から延設された底板用フラップは、第１および第４底フラップであり、前記第１および第４底フラップの先端縁部には、底板の閉止状態を維持し得る嵌め合わせ構造が設けられていることを特徴とするものである。
【００１３】
かかる構成によれば、まず、第２、第３、第５および第６底フラップで筒部の下面開口を閉止した後、第１および第４底フラップを先の各フラップに重ね合わせた上で、対向縁部の嵌め合わせ構造によって両者を互いに係止することにより、底板の閉止状態が維持される。
【００１４】
請求項３記載の発明は、請求項１または２記載の発明において、蓋体形成部は、前記帯状部における隣設された折り線間および折り線と端縁との間からそれぞれ延設された複数の蓋体用フラップを有し、この蓋体用フラップは、前記底板用フラップと同一に形状設定されていることを特徴とするものである。
【００１５】
かかる構成によれば、蓋体は、粘着テープが貼着された状態でその両端部の処理が容易かつ美麗に行われるとともに、段ボール箱製造の作業性が向上するという底板と同様の作用効果が得られるものになる。
【発明の効果】
【００１６】
請求項１記載の発明によれば、筒部の互いに対向した縁部から延設された底板用フラップの少なくとも一方は、先端縁部が対向した縁部間にある筒部の六角形状の互いに対向した頂点間を結ぶ直線に対して傾斜した傾斜辺とされているため、底板用フラップの最も外側のものは折り曲げられた状態で傾斜辺の延長線が筒部の六角形状の頂点部分から外れた部分に位置し、これによって底板用フラップの先端縁部に沿って貼着した粘着テープの食み出した両端部を筒部方向に折り曲げるに際し真っ直ぐに折り曲げることができ、これによって良好な作業性を確保した上で段ボール箱の外観視を見栄えのよい美麗なものにすることができるとともに、見苦しさを修復するための無駄な作業を行わなくてもよい分生産性の向上にも貢献することができる。
【００１７】
請求項２記載の発明によれば、第１および第４底フラップの対向縁部に底板の閉止状態を維持し得る嵌め合わせ構造が設けられているため、まず、第２、第３、第５および第６底フラップで筒部の下面開口を閉止した後、第１および第４底フラップを先の各フラップに重ね合わせた上で、対向縁部の嵌め合わせ構造によって両者を互いに係止することにより、底板の閉止状態が維持することができ、その後の粘着テープの貼着作業を容易に行うことができる。
【００１８】
請求項３記載の発明によれば、蓋体は、その蓋体用フラップが底板用フラップと同一に形状設定されているため、粘着テープが貼着された状態でその両端部の処理が容易かつ美麗に行われるとともに、段ボール箱製造の作業性が向上するという底板と同様の作用効果を得ることができる。
【発明を実施するための最良の形態】
【００１９】
図１は、本発明に係る段ボール箱の一実施形態を示す斜視図であり、（イ）は、底板および蓋体が開放された状態、（ロ）は、底板および蓋体が閉止された状態をそれぞれ示している。図１に示すように、本実施形態に係る段ボール箱１０は、段ボール紙を切り抜いて得られる所定平面形状の展開紙２０（図２）を、予め設定された所定の折り線に沿って折り込むことにより形成されるものであり、平面視で六角形状を呈した六角筒部１１と、該六角筒部１１の下方の開口が閉止されることによって形成される底板１２と、同上方の開口を開閉自在に閉止する蓋体１３とを備えて構成されている。
【００２０】
前記六角筒部１１は、正方形よりも若干上下方向に長尺の矩形状を呈した第１筒壁１１１と、この第１筒壁１１１に隣接した上下方向に長尺の矩形状を呈する第２筒壁１１２と、この第２筒壁１１２に隣接した前記第２筒壁１１２と同一寸法の第３筒壁１１３と、この第３筒壁１１３に隣接した前記第１筒壁１１１と同一寸法の第４筒壁１１４と、この第４筒壁１１４に隣接した前記第２筒壁１１２と同一寸法の第５筒壁１１５と、この第５筒壁１１５と前記第１筒壁１１１との間に介設された前記第５筒壁１１５と同一寸法の第６筒壁１１６とからなっている。
【００２１】
前記第２、第３、第５および第６筒壁１１２，１１３，１１５，１１６は、本実施形態においては、短辺（水平方向に延びる辺）の長さ寸法が長辺（上下方向に延びる辺）の長さ寸法の略１／３に設定されているとともに、第１筒壁１１１の横寸法の略１／２．５に設定されている。これらの寸法については、それぞれ１／３および１／２．５に限定されるものではなく、被収納物の大きさや形状によって変更可能である。かかる第１〜第６筒壁１１１〜１１６で六角筒を形成させた状態で、第１筒壁１１１および第６筒壁１１６の対向縁部を互いに連結することによって六角筒部１１が形成されている。
【００２２】
前記底板１２は、第１筒壁１１１の下縁部から外方に向かって延設された第１底板片１２１と、第２筒壁１１２の下縁部から外方に向かって延設された第２底板片１２２と、第３筒壁１１３の下縁部から外方に向かって延設された第３底板片１２３と、第４筒壁１１４の下縁部から外方に向かって延設された第４底板片１２４と、第５筒壁１１５の下縁部から外方に向かって延設された第５底板片１２５と、第６筒壁１１６の下縁部から外方に向かって突設された第６底板片１２６とからなっている。これら第１〜第６底板片１２１〜１２６を所定の順番で六角筒部１１の内側に向けて直角に折り曲げていくことにより、特に接着剤やステープル処理を施すことなく、いわゆる嵌め殺しによって、図１の（ロ）に示すように、底板１２が形成されるようになっている。
【００２３】
本実施形態においては、各底板片１２１〜１２６は、互いに対向したものが同一形状に設定されている。具体的には、第１底板片１２１と第４底板片１２４とは同一形状に設定されているとともに、第２底板片１２２と第５底板片１２５とは同一形状に設定されている。また、第３底板片１２３と第６底板片１２６とも同一形状に設定されている。
【００２４】
そして、本発明においては、底板１２が形成された状態で、図１の（ロ）に示すように、第１底板片１２１の先端縁部と、第４底板片１２４の先端縁部とが重なり合った部分に粘着テープ９０が貼着され、これによって底板１２の閉止状態をさらに確実なものにしている。
【００２５】
前記蓋体１３は、第１筒壁１１１の上縁部から外方に向かって延設された第１蓋片１３１と、第２筒壁１１２の上縁部から外方に向かって延設された第２蓋片１３２と、第３筒壁１１３の上縁部から外方に向かって延設された第３蓋片１３３と、第４筒壁１１４の上縁部から外方に向かって延設された第４蓋片１３４と、第５筒壁１１５の上縁部から外方に向かって延設された第５蓋片１３５と、第６筒壁１１６の上縁部から外方に向かって延設された第６蓋片１３６とからなっている。
【００２６】
かかる蓋体１３は、本実施形態においては、底板１２と同一に構成されている。具体的には、第１蓋片１３１は、第１底板片１２１と点対称で同一形状に設定され、第２蓋片１３２は、上下逆転状態で第６底板片１２６と同一形状に設定され、第３蓋片１３３は、上下逆転状態で第２底板片１２２と同一形状に設定され、第４蓋片１３４は、第４底板片１２４と点対称で同一形状に設定され、第５蓋片１３５は、上下逆転状態で第３底板片１２３と同一形状に設定され、第６蓋片１３６は、上下逆転状態で第第５底板片１２５と略同一形状に設定されている。
【００２７】
このような蓋体１３についても、蓋体１３が形成された状態で、図１の（ロ）に示すように、第１蓋片１３１の先端縁部と、第４蓋片１３４の先端縁部とが重なり合った部分に粘着テープ９０が貼着され、これによって蓋体１３の閉止状態がさらに確実に行われるようにしている。
【００２８】
図２は、かかる段ボール箱１０の形成させるための展開紙２０の一実施形態を示す展開図である。この図に示すように、展開紙２０は、前記六角筒部１１を形成するための横方向（図２の紙面の左右方向）に長尺の帯状部３０と、この帯状部３０の図２における下縁部から外方に向かって延設された前記底板１２を形成する底板形成部４０と、前記帯状部３０の図２における上縁部から外方に向かって延設された前記蓋体１３を形成する蓋体形成部５０とを備えて構成されている。
【００２９】
前記帯状部３０は、前記第１筒壁１１１に対応した第１区分帯部３１と、前記第２筒壁１１２に対応した第２区分帯部３２と、前記第３筒壁１１３に対応した第３区分帯部３３と、前記第４筒壁１１４に対応した第４区分帯部３４と、前記第５筒壁１１５に対応した第５区分帯部３５と、前記第６筒壁１１６に対応した第６区分帯部３６とを備えて構成されている。第１区分帯部３１の図２における左方縁部から糊代部３７が延設されている。
【００３０】
かかる帯状部３０には、当該帯状部３０を幅方向に横断した縦方向に延びる縦折り線（折り線）２１と、底板形成部４０との境界位置および蓋体形成部５０との境界位置に形成された横折り線（折り線）２２とが形成されている。これらの折り線２１，２２は、展開紙２０に対して線状にプレス処理が施されることによって形成されている。
【００３１】
前記縦折り線２１は、糊代部３７と第１区分帯部３１との間に形成された第１縦折り線（第１折り線）２１１と、第１区分帯部３１と第２区分帯部３２との間に形成された第２縦折り線（第２折り線）２１２と、第２区分帯部３２と第３区分帯部３３との間に形成された第３縦折り線（第３折り線）２１３と、第３区分帯部３３と第４区分帯部３４との間に形成された第４縦折り線（第４折り線）２１４と、第４区分帯部３４と第５区分帯部３５との間に形成された第５縦折り線（第５折り線）２１５と、第５区分帯部３５と第６区分帯部３６との間に形成された第６縦折り線（第６折り線）２１６とからなっている。
【００３２】
また、前記横折り線２２は、帯状部３０と底板形成部４０との間に形成された第１横折り線（側縁部）２２１と、帯状部３０と蓋体形成部５０との間に形成された第２横折り線（側縁部）２２２とからなっている。そして、展開紙２０がこれら縦折り線２１および横折り線２２に沿って表面側から裏面側に向けていわゆる山折りされることにより、段ボール箱１０が形成されるようになっている。
【００３３】
前記底板形成部４０は、前記第１底板片１２１に対応した第１底板フラップ（第１底フラップ）４１と、前記第１底板片１２１に対応した第２底板フラップ（第２底フラップ）４２と、前記第２底板片１２２に対応した第３底板フラップ（第３底フラップ）４３と、前記第３底板片１２３に対応した第４底板フラップ（第４底フラップ）４４と、前記第４底板片１２４に対応した第５底板フラップ（第５底フラップ）４５と、前記第５底板片１２５に対応した第６底板フラップ（第６底フラップ）４６とを備えて構成されている。
【００３４】
これら第１〜第６底板フラップ４１〜４６の内の第１および第４底フラップ４１，４４における第１横折り線２２１の部分の長さ寸法は同一に設定されているとともに、第２，第３，第５および第６底フラップ４２，４３，４５，４６における第１縦折り線２１１の部分の長さ寸法は同一に設定されている。
【００３５】
前記第１底板フラップ４１は、前記第１縦折り線２１１の延長線に沿った縦縁部４１１と、この縦縁部４１１の先端から帯状部３０へ向け図２において先上がりに傾斜した先端傾斜縁部（傾斜辺）４１２と、この先端傾斜縁部４１２の図２における右端から第２縦折り線２１２の下端へ向けて先上がりに傾斜した縦傾斜縁部４１３とを備えている。
【００３６】
前記縦縁部４１１は、段ボール箱１０が組み付けられた状態における第１筒壁１１１と第４筒壁１１４との間の距離ｄ（図１の（ロ））の１／２より若干長めに設定されている。また、前記縦傾斜縁部４１３は、先端が段ボール箱１０の底板１２の長手方向に延びる中心線Ｌ上に位置するように長さ設定されている。
【００３７】
そして、前記先端傾斜縁部４１２は、縦縁部４１１の先端と、縦傾斜縁部４１３の図２における下から略１／５の位置とを結ぶ直線に沿うように緩やかな傾斜を備えて設定されている。かかる先端傾斜縁部４１２の略中央部には、係止突起４１４が突設されているとともに、この係止突起４１４の図２における直ぐ右方には係止凹部４１５が凹設されている。さらに、先端傾斜縁部４１２の右端部からは先端が前記中心線Ｌに沿うように突設された塞ぎ突起４１６が設けられている。
【００３８】
前記第２底板フラップ４２は、三角形状に設定され、第２縦折り線２１２の図２における下端から前記縦傾斜縁部４１３に沿うように形成された第１傾斜縁部４２１と、第３縦折り線２１３下端から第１傾斜縁部４２１へ向かって延設された第２傾斜縁部４２２とを備えている。かかる第２底板フラップ４２は、第１傾斜縁部４２１と第２傾斜縁部４２２との交点位置が前記第１底板フラップ４１の先端傾斜縁部４１２の延長線上に略位置するように形状設定されている。第１傾斜縁部４２１の適所（中央部より若干先端側）には切込み凹部４２３が凹設されている。
【００３９】
前記第３底板フラップ４３は、第３縦折り線２１３の下端から第１底板フラップ４１の縦傾斜縁部４１３へ向けて延びる第３傾斜縁部４３１と、この第３傾斜縁部４３１の先端から縦傾斜縁部４１３に沿って外方に向けて延びる第４傾斜縁部４３２と、この第４傾斜縁部４３２の先端から図２における右方へ延びる横縁部４３３と、第４縦折り線２１４の延長線に沿った縦縁部４３４とを備えている。横縁部４３３は、第１縦折り線２１１と平行に形成され、両者間の距離は、前記第１底板フラップ４１の縦縁部４１１と略同一に設定されている。
【００４０】
かかる第３底板フラップ４３には、横縁部４３３に前記第２底板フラップ４２の切込み凹部４２３に対応した摘み片４３５が設けられている。この摘み片４３５は、横縁部４３３の２個所が切り込まれることによって形成され、段ボール箱１０が組み立てられるに際し、図３の（イ）に示すように摘み上げられることによって塞ぎ突起４１６へ嵌め込まれるものである。
【００４１】
また、第３傾斜縁部４３１と第１横折り線２２１の第３底板フラップ４３に対応した部分との間に形成される角度は、段ボール箱１０における第２筒壁１１２と第３筒壁１１３とによって形成される角度αと同一に設定されている。
【００４２】
前記第４底板フラップ４４は、前記第１底板フラップ４１と全く同一の形状に設定されている。かかる第４底板フラップ４４は、第１底板フラップ４１と同様の縦縁部４４１と、先端傾斜縁部（傾斜辺）４４２と、縦傾斜縁部４４３と、係止突起４４４と、係止凹部４４５と、塞ぎ突起４４６とを備えている。そして、底板１２が組み付けられるに際し、第１底板フラップ４１の係止突起４１４が第４底板フラップ４４の係止凹部４４５に嵌め込まれるとともに、第４底板フラップ４４の係止突起４４４が第１底板フラップ４１の係止凹部４１５に嵌め込まれることによって底板１２の開放が規制されるようになっている。
【００４３】
そして、底板形成部４０における本発明に係る嵌め合わせ構造は、前記係止突起４１４、係止凹部４１５、係止突起４４４および係止凹部４４５によって構成されている。
【００４４】
前記第５底板フラップ４５は、前記第２底板フラップ４２と全く同一に形状設定されている。かかる第５底板フラップ４５は、第２底板フラップ４２と同様の第１傾斜縁部４５１と、第２傾斜縁部４５２と、切込み凹部４５３とを備えている。
【００４５】
前記第６底板フラップ４６は、前記第３底板フラップ４３と全く同一に形状設定されている。かかる第６底板フラップ４６は、第３底板フラップ４３と同様の第３傾斜縁部４６１と、第４傾斜縁部４６２と、横縁部４６３と、縦縁部４６４と、摘み片４６５とを備えている。
【００４６】
第３傾斜縁部４６１と第１横折り線２２１の第６底板フラップ４６に対応した部分との間に形成される角度は、段ボール箱１０における第５筒壁１１５と第６筒壁１１６とによって形成される角度αと同一に設定されている。
【００４７】
前記蓋体形成部５０は、前記第１蓋片１３１に対応した第１蓋フラップ５１と、前記第２蓋片１３２に対応した第２蓋フラップ５２と、前記第３蓋片１３３に対応した第３蓋フラップ５３と、前記第４底板片１２４に対応した第４蓋フラップ５４と、前記第４蓋片１３４に対応した第５蓋フラップ５５と、前記第６蓋片１３６に対応した第６蓋フラップ５６とを備えて構成されている。
【００４８】
前記第１蓋フラップ５１は、前記第１底板フラップ４１と点対称で同一形状に設定され、第１底板フラップ４１の縦縁部４１１と同様の縦縁部５１１と、第１底板フラップ４１の先端傾斜縁部４１２と同様の先端傾斜縁部（傾斜辺）５１２と、第１底板フラップ４１の縦傾斜縁部４１３と同様の縦傾斜縁部５１３と、第１底板フラップ４１の係止突起４１４と同様の係止突起５１４と、第１底板フラップ４１の係止凹部４１５と同様の係止凹部５１５と、第１底板フラップ４１の塞ぎ突起４１６と同様の塞ぎ突起５１６とを備えている。
【００４９】
前記第２蓋フラップ５２は、前記第３底板フラップ４３と点対称で同一形状に設定され、第３底板フラップ４３の第３傾斜縁部４３１、第４傾斜縁部４３２、横縁部４３３、縦縁部４３４よび摘み片４３５にそれぞれ対応する第３傾斜縁部５２１、第４傾斜縁部５２２、横縁部５２３、縦縁部５２４および摘み片５２５を備えている。
【００５０】
前記第３蓋フラップ５３は、第２底板フラップ４２と点対称で同一形状に設定され、第２底板フラップ４２の第１傾斜縁部４２１，第２傾斜縁部４２２および切込み凹部４２３にそれぞれ対応する第１傾斜縁部５３１、第２傾斜縁部５３２および切込み凹部５３３を備えている。
【００５１】
そして、第３傾斜縁部５２１と第２横折り線２２２の第２蓋フラップ５２に対応した部分との間に形成される角度は、段ボール箱１０における第２筒壁１１２と第３筒壁１１３とによって形成される角度α（図１）と同一に設定されている。
【００５２】
前記第４蓋フラップ５４は、第４底板フラップ４４と点対称で同一形状に設定され、第４底板フラップ４４の縦縁部４４１、先端傾斜縁部４４２、縦傾斜縁部４４３、係止突起４４４、係止凹部４４５および塞ぎ突起４４６にそれぞれ対応した縦縁部５４１、先端傾斜縁部（傾斜辺）５４２、縦傾斜縁部５４３、係止突起５４４、係止凹部５４５および塞ぎ突起５４６を備えている。
【００５３】
そして、蓋体形成部５０における本発明に係る嵌め合わせ構造は、前記係止突起５１４、係止凹部５１５、係止突起５４４および係止凹部５４５によって構成されている。
【００５４】
前記第５蓋フラップ５５は、第６底板フラップ４６と点対称で同一形状に設定され、第６底板フラップ４６の第３傾斜縁部４６１、第４傾斜縁部４６２、横縁部４６３、縦縁部４６４および摘み片４６５にそれぞれ対応した第３傾斜縁部５５１、第４傾斜縁部５５２、横縁部５５３、縦縁部５５４および摘み片５５５を備えている。
【００５５】
そして、第３傾斜縁部５５１と第１横折り線２２１の第５蓋フラップ５５に対応した部分との間に形成される角度は、段ボール箱１０における第５筒壁１１５と第６筒壁１１６とによって形成される角度α（図１）と同一に設定されている。
【００５６】
前記第６蓋フラップ５６は、第５底板フラップ４５と点対称で略同一形状に設定され、第５底板フラップ４５の第１傾斜縁部４５１、第２傾斜縁部４５２および切込み凹部４５３にそれぞれ対応した第１傾斜縁部５６１、第２傾斜縁部５６２および切込み凹部５６３を備えている。因みに、第１傾斜縁部５６１は、第６区分帯部３６の図２における右縁部の延長線から左方に湾曲して円弧状に形成されている点が第５底板フラップ４５と相違しているが、その他は第５底板フラップ４５と同一形状になっている。
【００５７】
以下、このように構成された展開紙２０の組み立て作業について図３を基に説明する。図３は、段ボール箱１０を組み立てるために展開紙２０を折り込む状態を経時的に示した斜視図であり、（イ）は、第２、第３、第５および第６底板フラップ４２，４３，４５，４６並びに第２、第３、第５、第６蓋フラップ５２，５３，５５，５６が折り込まれた状態、（ロ）は、第１および第４底板フラップ４１，４４並びに第１および第４蓋フラップ５１，５４が折り込まれた状態、（ハ）は、第１および第４底板フラップ４１，４４の各先端傾斜縁部４１２，４４２に粘着テープ９０が貼着されるとともに、第１および第４蓋フラップ５１，５４の各先端傾斜縁部５１２，５４２に粘着テープ９０が貼着されつつある状態をそれぞれ示している。
【００５８】
なお、図３には、六角筒部１１の内部に挿入される被包装物の図示を省略しているが、実際は、六角筒部１１内に被包装物が挿入された状態で以下の包装処理が実行される。因みに、六角筒部１１を形成させるに際しては、展開紙２０を縦折り線２１（図２）に沿って山折りに折り曲げ、糊代部３７と第６区分帯部３６の図２における右縁部とを接着剤またはステープル針を介して互いに接合することにより、図１の（イ）に示すような六角筒部１１が形成される。
【００５９】
その後、各フラップを折り曲げ処理することにより底板１２および蓋体１３を形成させるのであるが、底板１２および蓋体１３は、上下で点対称に形成され、両者の組み付け手順は同一であるため、以下、代表として蓋体１３についてのみ説明する。
【００６０】
まず、図３の（イ）に示す状態では、六角筒部１１において、内側に向けて直角に折り曲げられた状態の第２蓋フラップ５２および第５蓋フラップ５５の上に第３蓋フラップ５３および第６蓋フラップ５６が折り重ねられ、この状態で摘み片５２５，５５５が摘み上げられることによりそれぞれ対応した切込み凹部５３３，５６３に嵌め込まれた状態になっている。この状態においては、第２蓋フラップ５２の第３傾斜縁部５２１および第４傾斜縁部５２２（図２）が第３区分帯部３３および第４区分帯部３４に当接するとともに、第５蓋フラップ５５の第３傾斜縁部５５１および第４傾斜縁部５５２が第６区分帯部３６および第１区分帯部３１に当接することにより、六角筒部１１の六角形状が確保されるようになっている。
【００６１】
この状態において、図３の（イ）に矢印で示すように、第１蓋フラップ５１および第４蓋フラップ５４が六角筒部１１の内側に向けて折り込まれることにより、図３の（ロ）に示すように、蓋体１３が形成される。この蓋体１３が形成されるに際し、第４蓋フラップ５４の係止突起５４４が第１蓋フラップ５１の係止凹部５１５に嵌め込まれるとともに、第１蓋フラップ５１の係止突起５１４が第４蓋フラップ５４の係止突起５４４と互い違いに第４蓋フラップ５４の係止凹部５４５に嵌め込まれる。これによって第１蓋フラップ５１および第５蓋フラップ５５による蓋体１３の形成状態が確実になる。
【００６２】
そして、蓋体１３が形成された状態では、図３の（ロ）に示すように、第１蓋フラップ５１および第４蓋フラップ５４の互いに重なり合った部分は、蓋体１３の長手方向に延びる中心線Ｌに対し斜めになっている。
【００６３】
この状態で、図３の（ハ）に示すように、第１蓋フラップ５１および第４蓋フラップ５４の互いに重なり合った部分に粘着テープ９０が貼着される。粘着テープ９０の一方の端部は、第３筒壁１１３（第３区分帯部３３）に向けて折り返されてそこへ貼着されるとともに、他方の端部は、第６筒壁１１６（第６区分帯部３６）へ向けて折り返されてそこへ貼着される。なお、底板１２についての説明は省略したが、底板１２に対しても同様に粘着テープ９０が貼着され、これによって段ボール箱１０による包装処理が完了する。
【００６４】
図４は、本発明に係る段ボール箱１０の作用を説明するための平面視の説明図であり、（イ）は、本発明に係る段ボール箱１０に粘着テープ９０が貼着された状態、（ロ）は、比較例として挙げた段ボール箱１０′に粘着テープ９０を貼着した状態をそれぞれ示している。
【００６５】
まず、本発明に係る段ボール箱１０においては、第１蓋片１３１と第４蓋片１３４との互いに重なり合った部分が、蓋体１３の横方向に延びる中心線Ｌに対して中央部で交差した状態で右上がりに傾斜しているため、第１蓋片１３１と第４蓋片１３４との互いに重なり合った部分に粘着テープ９０を貼着した場合、第２筒壁１１２と第３筒壁１１３とが交差する部分に形成された頂点Ｔ１並びに第５筒壁１１５と第６筒壁１１６とが交差する部分に形成された頂点Ｔ２を避けた状態で、折り返された当該粘着テープ９０の両端部は、それらの全面を六角筒部１１の筒壁に密着させることが可能になる。因みに、図４の（イ）に示す例では、粘着テープ９０の左端部は全面が六角筒部１１の第６筒壁１１６に貼着されるとともに、右端部は全面が六角筒部１１の第３筒壁１１３に密着した状態になる。これによって粘着テープ９０による蓋体１３の閉止状態が確実になるとともに、粘着テープ９０の貼着作業も容易になる。
【００６６】
これに対し、図４の（ロ）に示す比較例の場合は、第１蓋片１３１′と第４蓋片１３４′とは、蓋体１３′の中心線Ｌに沿う位置でそれぞれの対向端部が互いに当接された状態になっているため、この部分に粘着テープ９０を貼着すると、当該粘着テープ９０の一方の端部は、頂点Ｔ２を介して第５筒壁１１５と第６筒壁１１６とに跨った状態になるとともに、他方の端部は頂点Ｔ１を介して第２筒壁１１２と第３筒壁１１３とに跨った状態になる。したがって、粘着テープ９０の各端部を六角筒部１１の筒壁に貼着すると、蓋体１３′から弛んで食み出した部分（食み出し部９１）が形成されるため、この食み出し部９１の存在で蓋体１３′の確実な閉止状態を得ることができなくなるばかりか、外観視が見栄えの悪いものになってしまうという不都合が生じるのであるが、本発明においては、粘着テープ９０の各端部は、六角筒部１１の筒壁に全面に密着するため、食み出し部９１が形成されるようなことはなく、比較例のような不都合が生じることはない。
【００６７】
図５は、段ボール箱１０において六角形を呈した蓋体１３の一対の対向辺（第１筒壁１１１および第４筒壁１１４に対応した辺）が他の辺より長く設定されている理由を説明するための説明図である。この図に示すように、本実施形態においては、段ボール箱１０は、六角筒部１１の短辺側の面（図５では第６筒壁１１６）がフロアに載置された状態で所定の被収納物が収納された段ボール箱１０の重心Ｇが、第６筒壁１１６の辺と、第１筒壁１１１の辺との交点Ｐの水平方向（図６の左右方向）における外側に位置するように寸法設定されている。
【００６８】
したがって、第６筒壁１１６がフロアに当接した状態で段ボール箱１０がフロアに載置されると、段ボール箱１０には、前記交点Ｐ回りに時計方向へ向かうモーメントが作用するため、段ボール箱１０は交点Ｐ回りに時計方向へ向けて回動して横転する。このように、本実施形態においては、第６筒壁１１６等の短辺側の面を下面にして段ボール箱１０をフロア上に載置することができないようにしている。このようにされるのは、底板１２を下面にして段ボール箱１０をフロアに置くことを前提として段ボール箱１０に収納された被収納物の正規の収納姿勢を維持させるためである。
【００６９】
かかる重心設定が行われる段ボール箱１０は、例えば、画像形成装置に適用されるトナーカートリッジやトナー回収タンクのような正規の姿勢以外で保管されたり運搬されたりすることを嫌う被収納物を包装する容器として好適に使用される。
【００７０】
以上詳述したように、本発明に係る段ボール箱１０は、平面視で六角形状を呈した六角筒部１１と、該六角筒部１１の一方の開口を閉止する底板１２と、同他方の開口を閉止する蓋体１３とを備え、段ボール紙を切り抜いて得られる所定平面形状の展開紙２０を、予め設定された所定の折り線に沿って折り曲げることにより形成されるものであり、展開紙２０は、互いに平行に設定された複数本の縦折り線２１に沿って環状に折り曲げることで六角筒部１１を形成する長尺の帯状部３０と、この帯状部３０の一方の側縁部から外方に向かって延設された底板１２を形成する底板形成部４０と、同他方の側縁部から外方に向かって延設された蓋体１３を形成する蓋体形成部５０とを備え、底板形成部４０は、帯状部３０における隣設された縦折り線２１間および縦折り線２１と端縁との間からそれぞれ延設された複数の第１〜第６底板フラップ４１〜４６を有し、六角筒部１１の互いに対向した縁部から延設された底板用フラップ（本実施形態においては第１および第４底板フラップ４１，４４）の少なくとも一方は、先端縁部が対向した縁部間にある六角筒部１１の六角形状の互いに対向した頂点（頂点Ｔ１および頂点Ｔ２）間を結ぶ直線と交差し得るべく形状設定されている。
【００７１】
かかる構成によれば、展開紙２０における長尺の帯状部３０を、互いに平行に設定された複数本の縦折り線２１に沿って環状に折り曲げることによって段ボール箱１０の六角筒部１１が形成され、引き続きこの帯状部３０の一方の側縁部から外方に向かって延設された底板形成部４０を六角筒部１１の内側に向けて略直角に折り曲げることにより段ボール箱１０の底板１２が形成される。さらに、帯状部３０の他方の側縁部から外方に向かって延設された蓋体形成部５０を六角筒部１１の内側に向けて略直角に折り曲げることにより段ボール箱１０の蓋体１３が形成される。
【００７２】
そして、六角筒部１１の互いに対向した縁部から延設された底板用フラップの少なくとも一方は、先端縁部が対向した縁部間にある六角筒部１１の六角形状の互いに対向した頂点間を結ぶ直線と交差し得るべく形状設定されているため、展開紙２０を折り曲げることで段ボール箱１０を形成した上で、底板用フラップの内の最も外側に位置するものの先端縁部に沿うように粘着テープを貼り付けていくとともに、底板１２から食み出した両端部を真っ直ぐに六角筒部１１の方向に向けて折り曲げることができる。
【００７３】
したがって、従来の六角筒状の段ボール箱１０にあっては、底板用フラップの最も外側のものは折り曲げられた状態でその先端角部が六角筒部１１の六角形状の頂点部分に位置し、これによって底板用フラップの先端縁部に沿って貼着した粘着テープの食み出した両端部を六角筒部１１方向に折り曲げるに際し、真っ直ぐに折り曲げることができずに弛み部分が形成されてしまい、これによって見栄えが悪くなるとともに、それの修復で時間が取られ、段ボール箱１０の生産性が劣るという問題点を有しているが、発明の段ボール箱１０ではそのような不都合の生じることがなく、仕上がった段ボール箱１０の外観視が見栄えよいものになるとともに、段ボール箱１０製造における作業性の向上にも貢献することができる。
【００７４】
また、第１および第４底フラップ４１，４４の対向縁部には、係止突起４１４、係止凹部４１５、係止突起４４４および係止凹部４４５からなる、底板１２の閉止状態を維持するための合わせ構造が設けられているため、まず、第２、第３、第５および第６底フラップで六角筒部１１の下面開口を閉止した後、第１および第４底フラップを先の各フラップに重ね合わせた上で、対向縁部の嵌め合わせ構造によって両者を互いに係止することにより、底板１２の閉止状態が維持される。このように、粘着テープ９０を貼着する前に底板１２の閉止状態が維持されるため、その後の粘着テープ９０の貼着作業を容易に行うことができる。
【００７５】
また、本実施形態においては、蓋体形成部５０は、底板形成部４０と同様に形成されているため、蓋体１３も底板１２と同様の作用効果（粘着テープ９０の貼着作業の容易性や粘着テープ９０を貼着した後の見栄えのよさ等）を得ることができる。
【００７６】
本発明は、上記の実施形態に限定されるものではなく、以下の内容をも包含するものである。
【００７７】
（１）上記の実施形態においては、底板１２を構成するための蓋体形成部５０は、底板形成部４０と全く同一に形状設定されているが、本発明は、蓋体形成部５０を底板形成部４０と同一にすることに限定されるものではなく、蓋体形成部５０のみに本発明に係るフラップを採用し、蓋体形成部５０については、従来通りの通常の構造のもの（例えば図４の（ロ）に示すもの）を採用してもよい。その理由は、底板１２は、被包装物を支持する構造物であり、一旦形成されると開閉されることがないのに対し、蓋体１３は、通常、開閉されるものであるため、開閉操作の利便性を考慮して、通常のものにしても特に不都合の生じることが少ないからである。
【００７８】
（２）上記の実施形態においては、例えば第３底板フラップ４３に摘み片４３５を設ける一方、第２底板フラップ４２に切込み凹部４２３を凹設し、段ボール箱１０の組み立て作業時に摘み片４３５を切込み凹部４２３に嵌め込むようにしているが、本発明は、かかる摘み片４３５および切込み凹部４２３を設けることに限定されるものではなく、特に設けなくてもよい。このことについては、底板形成部４０における他の摘み片４６５および切込み凹部４５３についても同様であり、蓋体形成部５０における摘み片５２５および切込み凹部５３３並びに摘み片５５５および切込み凹部５６３についても同様である。
【００７９】
（３）上記の実施形態においては、第３底板フラップ４３における第３傾斜縁部４３１と第１横折り線２２１との間に形成される角度が段ボール箱１０の底板１２の角部（頂点Ｔ１部分）に形成される角度αと同一に形成されているが、これに加えて第１底板フラップ４１における縦傾斜縁部４１３と第１横折り線２２１とにより形成される角度もαになるように第１底板フラップ４１を形状設定してもよい。こうすることによって、六角筒部１１の形状設定が、第３底板フラップ４３に加えて第１底板フラップ４１によっても行われることになり、これによって六角筒部１１の形状保持性を高めることができる。これについては、第４底板フラップ４４、第１蓋フラップ５１および第４蓋フラップ５４についても同様である。
【００８０】
（４）上記の実施形態にあっては、展開紙２０において第１底板フラップ４１および第１蓋フラップ５１を備えた第１区分帯部３１が糊代部３７の直ぐ横に形成されるとともに、第４底板フラップ４４および第４蓋フラップ５４を備えた第４区分帯部３４が糊代部３７を起点として４番目に設けられているが、本発明は、第１区分帯部３１を糊代部３７の直ぐ横に形成することに限定されるものではなく、糊代部３７から数えていずれの位置に設けてもよい。この場合、第４区分帯部３４は、六角筒部１１が形成された状態で第１底板フラップ４１と対向する位置に設けられる。
【００８１】
（５）上記の実施形態においては、第１および第４底板フラップ４１、４４のいずれにも互いに対応した先端傾斜縁部４１２，４４２が形成されているが、本発明は、第１および第４底板フラップ４１、４４の双方に先端傾斜縁部４１２，４４２を形成させることに限定されるものではなく、少なくともいずれか一方に先端傾斜縁部を形成し、この先端傾斜縁部が形成された方の底板フラップを上側にして折り込むようにしてもよい。
【図面の簡単な説明】
【００８２】
【図１】本発明に係る段ボール箱の一実施形態を示す斜視図であり、（イ）は、底板および蓋体が開放された状態、（ロ）は、底板および蓋体が閉止された状態をそれぞれ示している。
【図２】展開紙の一実施形態を示す展開図である。
【図３】段ボール箱を組み立てるために展開紙を折り込む状態を経時的に示した斜視図であり、（イ）は、第２、第３、第５および第６底板フラップ並びに第２、第３、第５、第６蓋フラップが折り込まれた状態、（ロ）は、第１および第４底板フラップ並びに第１および第４蓋フラップが折り込まれた状態、（ハ）は、第１および第４底板フラップの各先端傾斜縁部に粘着テープ９０が貼着されるとともに、第１および第４蓋フラップの各先端傾斜縁部に粘着テープが貼着されつつある状態をそれぞれ示している。
【図４】本発明に係る段ボール箱の作用を説明するための平面視の説明図であり、（イ）は、本発明に係る段ボール箱に粘着テープが貼着された状態、（ロ）は、比較例として挙げた段ボール箱に粘着テープを貼着した状態をそれぞれ示している。
【図５】段ボール箱において六角形を呈した蓋体の一対の対向辺（第１筒壁および第４筒壁に対応した辺）が他の辺より長く設定されている理由を説明するための説明図である。
【符号の説明】
【００８３】
１０，１０′  段ボール箱          １１  六角筒部
１１１〜１１６  第１〜第６筒壁    １２  底板
１２１〜１２６  第１〜第６底板片  １３  蓋体
１３１  〜１３６  第１〜第６蓋片  ２０  展開紙
２１  縦折り線（折り線）
２１１〜２１６  第１〜第６縦折り線（第１〜第６折り線）
２２  横折り線                    ２２１  第１横折り線
２２２  第２横折り線              ３０  帯状部
３１〜３６  第１〜第６区分帯部    ４０  底板形成部
４１  第１底板フラップ（第１底フラップ）
４１１  縦縁部                    ４１２  先端傾斜縁部（傾斜辺）
４１３  縦傾斜縁部                ４１４  係止突起
４１５  係止凹部                  ４１６  塞ぎ突起
４２  第２底板フラップ（第２底フラップ）
４２１  第１傾斜縁部              ４２２  第２傾斜縁部
４２３  切込み凹部                ４３  第３底板フラップ（第３底フラップ）
４３１  第３傾斜縁部              ４３２  第４傾斜縁部
４３３  横縁部                    ４３４  縦縁部
４３５  摘み片                    ４４  第４底板フラップ（第４底フラップ）
４４１  縦縁部                    ４４２  先端傾斜縁部（傾斜辺）
４４３  縦傾斜縁部                ４４４  係止突起
４４５  係止凹部                  ４４６  塞ぎ突起
４５  第５底板フラップ（第５底フラップ）
４５１  第１傾斜縁部              ４５２  第２傾斜縁部
４５３  切込み凹部                ４６  第６底板フラップ（第６底フラップ）
４６１  第３傾斜縁部              ４６２  第４傾斜縁部
４６３  横縁部                    ４６４  縦縁部
４６５  摘み片                    ５０  蓋体形成部
５１  第１蓋フラップ              ５１１  縦縁部
５１２  先端傾斜縁部（傾斜辺）    ５１３  縦傾斜縁部
５１４  係止突起                  ５１５  係止凹部
５１６  塞ぎ突起                  ５２  第２蓋フラップ
５２１  第３傾斜縁部              ５２２  第４傾斜縁部
５２３  横縁部                    ５２４  縦縁部
５２５  摘み片                    ５３  第３蓋フラップ
５３１  第１傾斜縁部              ５３２  第２傾斜縁部
５３３  切込み凹部                ５４  第４蓋フラップ
５４  第４蓋フラップ              ５４１  縦縁部
５４２  先端傾斜縁部（傾斜辺）    ５４３  縦傾斜縁部
５４４  係止突起                  ５４５  係止凹部
５４６  塞ぎ突起                  ５５  第５蓋フラップ
５５１  第３傾斜縁部              ５５２  第４傾斜縁部
５５３  横縁部                    ５５４  縦縁部
５５５  摘み片                    ５６  第６蓋フラップ
５６１  第１傾斜縁部              ５６２  第２傾斜縁部
５６３  切込み凹部                ９０  粘着テープ
９１  食み出し部
【図１】
2006096405.tif 000003
【図２】
2006096405.tif 000004
【図３】
2006096405.tif 000005
【図４】
2006096405.tif 000006
【図５】
2006096405.tif 000007